(57)【要約】【課題】  製造が容易で、光損失が小さく、コストが安い光部品およびその製造方法を提供する。【解決手段】  複数の光ファイバ１ａ，１ｂを並設して成る光ファイバ配列部材５の接続端面１３に光ファイバ１ａ，１ｂの接続端面を露出させる。光ファイバ配列部材５の接続端面１３は、光ファイバ配列部材５の光通過方向の中心軸Ｃとの成す角度が第１設定角度θの第１端面６と、該第１端面６と隣り合わせに配置されて前記中心軸Ｃとの成す角度が第１設定角度とは異なる第２設定角度γの第２端面７とを有する構成とする。第１端面６には光ファイバ１ａの接続端面を露出させ、第２端面７には光ファイバ１ｂの接続端面を露出させ、第１端面６に露出した光ファイバ１ａの接続端面には多層膜の波長選択透過性フィルタ３１を形成する。【選択図】        図１
2006065082.tif 000002
【特許請求の範囲】
【請求項１】
複数の光通路を並設して成る光通路配列部材を有し、該光通路配列部材の接続端面に前記複数の光通路の接続端面が露出されている光部品であって、前記光通路配列部材の接続端面は、該光通路配列部材の光通過方向の中心軸との成す角度が第１設定角度の第１端面と、該第１端面と隣り合わせに配置されて前記光通路配列部材の光通過方向の中心軸との成す角度が前記第１設定角度とは異なる第２設定角度の第２端面とを有し、前記第１端面と前記第２端面にはそれぞれ前記複数の光通路のうちの互いに異なる少なくとも１つの光通路の接続端面が露出しており、前記第１端面に露出した光通路の接続端面には多層膜または単層膜が形成されていることを特徴とする光部品。
【請求項２】
第１端面と該第１端面に露出した光通路の接続端面は共に研磨形成され、第２端面と該第２端面に露出した光通路の接続端面は共に研磨形成されていることを特徴とする請求項１記載の光部品。
【請求項３】
光通路は光ファイバとし、該光ファイバを挿通する光ファイバ挿通孔または前記光ファイバを挿入する光ファイバ挿入溝を複数並設して成る光ファイバ配列部材を光通路配列部材としたことを特徴とする請求項１または請求項２記載の光部品。
【請求項４】
光ファイバはテックファイバまたは屈折率分布型光ファイバを有していることを特徴とする請求項３記載の光部品。
【請求項５】
光通路は光導波路とし、光通路配列部材は光導波回路部材としたことを特徴とする請求項１または請求項２記載の光部品。
【請求項６】
第１端面は光通路配列部材の光通過方向の中心軸に直交する線との角度が８°以下になるように斜めに形成されていることを特徴とする請求項１乃至請求項５のいずれか一つに記載の光部品。
【請求項７】
多層膜または単層膜は設定波長帯の光のみを透過する波長選択透過機能を有する波長選択透過膜と、設定波長帯の光を減衰させる光減衰膜と、設定波長帯の光の反射を防止する反射防止膜のいずれか一つとしたことを特徴とする請求項１乃至請求項６記載の光部品。
【請求項８】
光通路配列部材に複数の光通路を並設して該光通路の接続端面側を前記光通路配列部材の接続端面側に配置し、該光通路配列部材の接続端面と前記複数の光通路の接続端面とを共に研磨して前記光通路配列部材の光通過方向の中心軸との成す角度を第１設定角度として第１端面を形成した後、該第１端面に露出した光通路の接続端面に多層膜または単層膜を形成し、然る後に、前記複数の光通路のうち少なくとも１つの光通路の接続端面と共に前記光通路配列部材の接続端面の一部を研磨して前記光通路配列部材の光通過方向の中心軸との成す角度が前記第１設定角度とは異なる第２設定角度となる第２端面を形成することにより該第２端面と前記第１端面とを隣り合わせに配置し、該第１端面と前記第２端面にそれぞれ前記複数の光通路のうちの互いに異なる少なくとも１つの光通路の接続端面を露出配置し、前記第１端面に露出配置される光通路の接続端面にのみ前記多層膜または単層膜が形成された構成とすることを特徴とする光部品の製造方法。
【発明の詳細な説明】
【技術分野】
【０００１】
本発明は、例えば光ファイバや光導波路等の光通路を複数有して光通信等に用いられる光部品およびその製造方法に関するものである。
【背景技術】
【０００２】
例えば光通信用として、波長合分波モジュールが用いられている。波長合分波モジュールは、例えば２本（２心）以上の光ファイバを並設して成る多心フェルールと、単心の光ファイバを有する単心フェルールとを間隔を介して対向配置し、その間隔に、前記光ファイバと調心される屈折率分布型レンズ等のレンズと、特定の（設定された）波長光を選択的に透過させたり減衰させたりする等の、フィルタリング機能を有するフィルタとを設けて形成される（例えば特許文献１、参照。）。
【０００３】
また、上記波長合分波モジュールにおいて、上記フィルタを多心フェルールと単心フェルールとの間に配置する代わりに、多心フェルールに並設された光ファイバのうちの一部の光ファイバの途中または接続端面にのみ、設けることが提案されている。
【０００４】
この場合、例えば図５（ａ）に示すように、多心フェルール３の光ファイバ配列部材５に並設されて、接着剤１５により固定された２本の光ファイバ１（１ａ，１ｂ）のうち、１本の光ファイバ１ａと光ファイバ配列部材５とを切削してスリット３０を形成し、このスリット３０内に、基板上に多層膜を成膜した波長選択透過性フィルタ３１を埋め込み、接着剤１５ａで充填固定することがある。なお、スリット３０は、例えば幅３０μｍ程度に形成される。
【０００５】
また、図５（ｂ）に示すように、多心フェルール３の接続端面１３に、一方の光ファイバ１ａの接続端面側のみを覆う波長選択透過性フィルタ３１を配置し、接着剤１５ａで固定することがある。
【０００６】
さらに、図５（ｃ）に示すように、多心フェルール３の接続端面１３に設ける波長選択透過性フィルタ３１を、蒸着により接続端面１３に直接成膜した多層膜により形成することもできる。この場合、第１の方法として、多心フェルール３の接続端面１３に露出した一方の光ファイバ１ｂの接続端面側のみを金属等のマスクで覆い、露出させたもう一方の光ファイバ１ａの接続端面側にのみ、多層膜の波長選択透過性フィルタ３１を蒸着形成する方法がある。
【０００７】
また、第２の方法として、以下の方法がある。つまり、多心フェルール３の接続端面１３において、まず、波長選択透過性フィルタ３１を設けない側の光ファイバ１ｂの接続端面側にのみに感光性樹脂組成物を成膜し、この上から波長選択性を有する多層膜（波長選択透過性フィルタ３１）を蒸着により多心フェルール３の接続端面１３の全面に成膜する。その後、感光性樹脂材料が溶解可能な剥離液で処理することにより、光ファイバ１ｂの接続端面側の多層膜を感光性樹脂材料と共に剥離する方法も知られている。
【０００８】
【特許文献１】特開平９―３０４６４９号公報
【発明の開示】
【発明が解決しようとする課題】
【０００９】
しかしながら、図５（ａ）に示したように、光ファイバ１ａにスリット３０を形成すると、このスリット形成部位において過剰な損失が起こってしまうといった問題があった。また、この構成においては、３０μｍ程のスリット３０に薄い波長選択透過性フィルタ３１を挿入する作業は困難であり、量産には不向きである。
【００１０】
さらに、この構成は、接着剤１５ａによって波長選択透過性フィルタ３１を固定するので、光路上に接着剤１５ａが存在するため、接着剤１５ａの存在により光損失がさらに増加する問題や、例えば５００ｍＷ以上といった高強度の光を光ファイバ１ａに入力した場合に、接着剤１５ａの劣化が生じるといった問題があった。
【００１１】
また、図５（ｂ）に示したように、多心フェルール３の接続端面１３に波長選択透過性フィルタ３１を配置すれば、スリット３０の形成による過剰な損失はなくなるものの、接着剤１５ａによって波長選択透過性フィルタ３１を固定するので、図５（ａ）に示した構成と同様に、接着剤１５ａが光路上に存在することによる損失の増加や、高強度の光入力による接着剤１５ａの劣化の問題があった。
【００１２】
さらに、図５（ｃ）に示したように、一方の光ファイバ１ａの接続端面側にのみ波長選択透過性フィルタ３１を直接成膜する方法は、マスクを用いる第１の方法においては、マスクと多層膜蒸着側の光ファイバ端面とが近接する場合、その近接する周辺では膜厚が不均一になり、的確に多層膜（波長選択透過性フィルタ３１）を形成できないので歩留まりが悪くなるといった問題があった。また、マスクを用いずに感光性樹脂組成物を用いる第２の方法においては、工数が多く、成膜に要する装置も高価であり、コストがかかる等の問題があった。
【００１３】
本発明は上記の課題を解決するためになされたものであり、その目的は、製造が容易で、光損失が小さく、コストが安い光部品およびその製造方法を提供することにある。
【課題を解決するための手段】
【００１４】
上記目的を達成するために、本発明は次のような構成をもって課題を解決するための手段としている。すなわち、第１の発明の光部品は、複数の光通路を並設して成る光通路配列部材を有し、該光通路配列部材の接続端面に前記複数の光通路の接続端面が露出されている光部品であって、前記光通路配列部材の接続端面は、該光通路配列部材の光通過方向の中心軸との成す角度が第１設定角度の第１端面と、該第１端面と隣り合わせに配置されて前記光通路配列部材の光通過方向の中心軸との成す角度が前記第１設定角度とは異なる第２設定角度の第２端面とを有し、前記第１端面と前記第２端面にはそれぞれ前記複数の光通路のうちの互いに異なる少なくとも１つの光通路の接続端面が露出しており、前記第１端面に露出した光通路の接続端面には多層膜または単層膜が形成されている構成をもって課題を解決する手段としている。
【００１５】
また、第２の発明の光部品は、上記第１の発明の構成に加え、前記第１端面と該第１端面に露出した光通路の接続端面は共に研磨形成され、第２端面と該第２端面に露出した光通路の接続端面は共に研磨形成されている構成をもって課題を解決する手段としている。
【００１６】
さらに、第３の発明の光部品は、上記第１または第２の発明の構成に加え、前記光通路は光ファイバとし、該光ファイバを挿通する光ファイバ挿通孔または前記光ファイバを挿入する光ファイバ挿入溝を複数並設して成る光ファイバ配列部材を光通路配列部材とした構成をもって課題を解決する手段としている。
【００１７】
さらに、第４の発明の光部品は、上記第１の発明の構成に加え、前記光ファイバはテックファイバまたは屈折率分布型光ファイバを有している構成をもって課題を解決する手段としている。
【００１８】
さらに、第５の発明の光部品は、上記第１または第２の発明の構成に加え、前記光通路は光導波路とし、光通路配列部材は光導波回路部材とした構成をもって課題を解決する手段としている。
【００１９】
さらに、第６の発明の光部品は、上記第１乃至第５のいずれか一つの発明の構成に加え、前記第１端面は光通路配列部材の光通過方向の中心軸に直交する線との角度が８°以下になるように斜めに形成されている構成をもって課題を解決する手段としている。
【００２０】
さらに、第７の発明の光部品は、上記第１乃至第６のいずれか一つの発明の構成に加え、前記多層膜または単層膜は設定波長帯の光のみを透過する波長選択透過機能を有する波長選択透過膜と、設定波長帯の光を減衰させる光減衰膜と、設定波長帯の光の反射を防止する反射防止膜のいずれか一つとした構成をもって課題を解決する手段としている。
【００２１】
さらに、第８の発明の光部品の製造方法は、光通路配列部材に複数の光通路を並設して該光通路の接続端面側を前記光通路配列部材の接続端面側に配置し、該光通路配列部材の接続端面と前記複数の光通路の接続端面とを共に研磨して前記光通路配列部材の光通過方向の中心軸との成す角度を第１設定角度として第１端面を形成した後、該第１端面に露出した光通路の接続端面に多層膜を形成し、然る後に、前記複数の光通路のうち少なくとも１つの光通路の接続端面と共に前記光通路配列部材の第１端面の一部を研磨して前記光通路配列部材の光通過方向の中心軸との成す角度が前記第１設定角度とは異なる第２設定角度となる第２端面を形成することにより該第２端面と前記第１端面とを隣り合わせに配置し、該第１端面と前記第２端面にそれぞれ前記複数の光通路のうちの互いに異なる少なくとも１つの光通路の接続端面を露出配置し、前記第１端面に露出配置される光通路の接続端面にのみ前記多層膜が形成された構成とすることをもって課題を解決する手段としている。
【発明の効果】
【００２２】
本発明の光部品によれば、複数の光通路を並設して成る光通路配列部材の接続端面は、該光通路配列部材の光通過方向の中心軸との成す角度が第１設定角度の第１端面と、該第１端面と隣り合わせに配置されて前記光通路配列部材の光通過方向の中心軸との成す角度が前記第１設定角度とは異なる第２設定角度の第２端面とを有しているので、前記第１端面にのみ多層膜または単層膜を容易に形成することができる。
【００２３】
そして、前記光通路配列部材の接続端面のうち、第１端面と第２端面にそれぞれ、前記複数の光通路のうちの互いに異なる少なくとも１つの光通路の接続端面を露出させ、第１端面に露出した光通路の接続端面に多層膜または単層膜を設けることにより、接続端面が第１端面に露出されている光通路への入出力光のみ、多層膜または単層膜を通過または多層膜または単層膜により反射させることができ、例えばこれらの膜によるフィルタリング機能を生かして、波長合分波モジュール等の形成を図ることができる。
【００２４】
また、本発明の光部品において、第１端面と該第１端面に露出した光通路の接続端面は共に研磨形成され、第２端面と該第２端面に露出した光通路の接続端面は共に研磨形成されている構成によれば、第１端面と第２端面を研磨形成により容易に形成でき、また、各端面に露出する光通路の接続端面と対応する端面とを容易に、かつ、的確に面一致させることができる。したがって、例えば光部品と接続される接続相手側との損失を小さくすることができる。
【００２５】
さらに、本発明の光部品において、光通路は光ファイバとし、該光ファイバを挿通する光ファイバ挿通孔または前記光ファイバを挿入する光ファイバ挿入溝を複数並設して成る光ファイバ配列部材を光通路配列部材とした構成によれば、光ファイバと光ファイバ配列部材とを有するフェルール等の光部品を、上記優れた効果を奏する光部品とすることができ、例えば、この発明の光部品を用いて、優れた波長合分波特性を有する波長合分波モジュール等の形成を、容易に行うことができる。
【００２６】
さらに、本発明の光部品において、光ファイバはテックファイバまたは屈折率分布型光ファイバを有している構成によれば、光ファイバの接続端面側にテックファイバ又は屈折率分布型光ファイバを形成することにより、受光効率を向上させる事ができるので、光部品が光を受光するときに、その効率を向上できる。
【００２７】
さらに、本発明の光部品において、光通路は光導波路とし、光通路配列部材は光導波回路部材とした構成によれば、光導波路と光導波回路部材とを有する光部品を、上記優れた効果を奏する光部品とすることができ、例えば、この発明の光部品を用いて、優れた波長合分波特性を有する波長合分波モジュール等の形成を、容易に行うができる。
【００２８】
さらに、本発明の光部品において、第１端面は光通路配列部材の光通過方向の中心軸に直交する線との角度が８°以下になるように斜めに形成されている構成によれば、例えば光通路を第１端面側に向けて進んで第１端面において反射した反射光が、再び光通路に戻ることを抑制でき（つまり、高い反射減衰特性を得ることができ）、反射戻り光による悪影響が少ない、より一層低損失の光部品を形成できる。
【００２９】
さらに、本発明の光部品において、多層膜または単層膜は設定波長帯の光のみを透過する波長選択透過機能を有する波長選択透過膜と、設定波長帯の光を減衰させる光減衰膜と、設定波長帯の光の反射を防止する反射防止膜のいずれか一つとした構成によれば、多層膜または単層膜の波長選択特性（透過性、減衰性、反射性）により、適宜の光合分波機能を果たすことができる光部品を容易に、かつ、的確に構成できる。
【００３０】
さらに、本発明の光部品の製造方法によれば、光通路配列部材に複数の光通路を並設してその接続端面を光通路配列部材の接続端面側に配置し、該光通路配列部材の接続端面と前記複数の光通路の接続端面とを共に研磨して前記第１端面を形成した後、該第１端面に露出した光通路の接続端面に多層膜または単層膜を形成し、その後、光通路配列部材の第１端面の一部を研磨して前記光通路配列部材の光通過方向の中心軸との成す角度が前記第１設定角度とは異なる第２設定角度となる第２端面を形成するので、互いに異なる角度の第２端面と第１端面とを、容易に隣り合わせに配置することができる。
【００３１】
また、第１端面に露出した光通路の接続端面への多層膜または単層膜の形成を、例えば第１端面全体に行ったとしても、第２端面形成時に膜の不要な部分を除くことができるし、マスクを用いたとしても、近接する２本の光通路の接続端面のうち一方のみをマスクで覆って他方の接続端面に膜を形成するときのように膜厚制御が困難になることはなく、所望の膜厚と均一性を持つ多層膜または単層膜を容易に得ることができる。
【００３２】
そして、上記第２端面の形成によって、前記第１端面と第２端面とにそれぞれ、前記複数の光通路のうちの互いに異なる少なくとも１つの光通路の接続端面を露出配置して前記第１端面に露出配置される光通路の接続端面にのみ前記多層膜または単層膜が形成されるようにすることによって、前記優れた効果を発揮できる本発明の光部品を、歩留まり良く容易に製造することができる。
【発明を実施するための最良の形態】
【００３３】
以下、本発明の実施の形態を、図面を参照して説明する。なお、本実施形態例の説明において、従来例と同一名称部分には同一符号を付し、その重複説明は省略又は簡略化する。
【００３４】
図１には、本発明に係る光部品の第１実施形態例が、その製造工程と共に模式的な説明図により示されている。本実施形態例の光部品は、図１（ｃ）に示す断面構成を有する多心（２心）フェルール３であり、図１（ｅ）には、その接続端面１３側から見た図が示されている。
【００３５】
図１（ｃ）、（ｅ）に示すように、本実施形態例の光部品は、複数（ここでは２本）の光通路としての光ファイバ１（１ａ，１ｂ）を並設して成る光通路配列部材としての光ファイバ配列部材５を有している。なお、光ファイバ配列部材５は例えば金属やセラミックの成形部材により形成されているが、ガラスにより形成したガラスキャピラリーにより形成してもよい。また、本実施形態例において、光ファイバ１ａ，１ｂは、いずれもシングルモード光ファイバにより形成されている。
【００３６】
光ファイバ配列部材５には、光ファイバ１を挿通する光ファイバ挿通孔８が複数（ここでは２本）並設されており、これらの光ファイバ挿通孔８に前記２本の光ファイバ１（１ａ，１ｂ）が挿通し、接着剤１５により固定されている。光ファイバ１ａ，１ｂは、それぞれ、被覆１１を除去した裸光ファイバの状態で光ファイバ挿通孔８に挿通されており、光ファイバ１ａ，１ｂの接続端面は、光ファイバ配列部材５の接続端面１３に露出している。
【００３７】
光ファイバ配列部材５の接続端面１３は、第１端面６と第２端面７とを隣り合わせに配置して形成されている。第１端面６は、光ファイバ配列部材５の光通過方向の中心軸（図１（ｃ）のＣ）との成す角度が第１設定角度（ここではθ）に形成されており、第２端面７は、前記光ファイバ配列部材５の光通過方向の中心軸との成す角度が前記第１設定角度とは異なる第２設定角度（ここではγ）に形成されている。
【００３８】
なお、図１（ｃ）の図中、Ａは第１端面６と平行な線、Ｂは第２端面７と平行な線を示しており、上記角度θは８２°に形成され、上記角度γは−８２°に形成されている。つまり、光ファイバ配列部材５の光通過方向の中心軸Ｃに直交する線Ｒと第１端面６との角度は８°に形成されており、線Ｒと第２端面７との角度も８°に形成されている。
【００３９】
前記第１端面６と前記第２端面７にはそれぞれ、前記複数（ここでは２本）の光ファイバ１ａ，１ｂのうちの互いに異なる少なくとも１つ（ここでは、それぞれ１本）の光ファイバ１ａ，１ｂの接続端面が露出している。つまり、第１端面６には光ファイバ１ａの接続端面が露出し、第２端面７には光ファイバ１ｂの接続端面が露出している。
【００４０】
また、前記第１端面６と該第１端面６に露出した光ファイバ１ａの接続端面は共に研磨形成され、前記第２端面７と該第２端面７に露出した光ファイバ１ｂの接続端面は共に研磨形成されている。第１端面６に露出した光ファイバ１ａの接続端面には多層膜の波長選択透過性フィルタ３１が形成されている。
【００４１】
波長選択透過性フィルタ３１は、ＳｉＯ２、ＴｉＯ２、Ｔａ２Ｏ３が積層された多層膜であり、設定波長帯の光、ここでは波長１．５３μｍ以下の波長の光のみを透過する波長選択透過機能を有する波長選択透過膜（ローパスフィルタ膜）により形成されている。この波長選択透過膜は、成膜により光ファイバ配列部材５の接続端面１３に形成されている。
【００４２】
本実施形態例は以上のように構成されており、次に、本実施形態例の光部品の製造方法について説明する。まず、図１（ａ）に示すように、光ファイバ配列部材５に２本の光ファイバ１ａ，１ｂを並設し、光ファイバ１ａ，１ｂの接続端面側を光ファイバ配列部材５の接続端面１３側に配置する。そして、光ファイバ配列部材５の接続端面１３と前記光ファイバ１ａ，１ｂの接続端面とを共に研磨して光ファイバ配列部材５の光通過方向の中心軸Ｃとの成す角度を第１設定角度（ここではθ）として第１端面６を形成する。
【００４３】
その後、図１（ｂ）、（ｄ）に示すように、第１端面６に露出した光ファイバ１ａ，１ｂの接続端面に、多層膜を、イオンアシスト法等の真空蒸着装置にて蒸着し成膜形成して波長選択透過性フィルタ３１とする。
【００４４】
なお、図１（ｄ）には、光ファイバ１ａ，１ｂを含む第１端面６の中央側領域に波長選択透過性フィルタ３１（多層膜）を形成した例を示しているが、多層膜は、光ファイバ１ａの接続端面を含む領域に形成されればよいので、第１端面６の全面に形成してもよいし、光ファイバ１ａの接続端面とその周りに形成してもよい。
【００４５】
つまり、多層膜の形成領域は、その形成が容易に、かつ、効率的に行えればよいので、例えば、図５（ｃ）で説明した従来例のように、マスクを設ける等して、光ファイバ１ｂの接続端面に多層膜が形成されないように多層膜の形成領域を正確に決定制御するときのような、手間や技術は不要であり、膜形成を容易に行うことができる。
【００４６】
次に、図１（ｃ）に示すように、複数の光ファイバのうち少なくとも１つ、ここでは、光ファイバ１ａ，１ｂのうち１つの光ファイバ１ｂの接続端面と共に、光ファイバ配列部材５の接続端面１３の第１端面６の一部を研磨して光ファイバ配列部材５の光通過方向の中心軸Ｃとの成す角度が前記第１設定角度（θ）とは異なる第２設定角度（ここではγ）となる第２端面７を形成することにより、該第２端面７と前記第１端面６とを隣り合わせに配置する。
【００４７】
そして、該第１端面６と前記第２端面７にそれぞれ２本の光ファイバ１ａ，１ｂのうちの互いに異なる少なくとも１つの光ファイバ１の接続端面を露出配置する。つまり、第１端面６には光ファイバ１ａの接続端面を露出配置し、第２端面７には光ファイバ１ｂの接続端面を露出配置する。また、図１（ｃ）、（ｅ）に示したように、第１端面６に露出配置される光ファイバ１ａの接続端面にのみ多層膜の波長選択透過性フィルタ３１が形成された構成とする。
【００４８】
本実施形態例は以上のように製造されており、この製造方法を適用し、光ファイバ配列部材５の接続端面１３を、光ファイバ配列部材５の光通過方向の中心軸Ｃとの成す角度が第１設定角度θの第１端面６と、前記中心軸Ｃとの成す角度が第２設定角度γの第２端面７とを隣り合わせに配置した構成とすることにより、第１端面６と第２端面７とにそれぞれ、対応する光ファイバ１ａ，１ｂの接続端面を露出配置することができるし、第１端面６に露出配置される光ファイバ１ａの接続端面にのみ、容易に、かつ、的確に、多層膜の波長選択透過性フィルタ３１を形成することができる。
【００４９】
そして、第１端面６に露出した光ファイバ１ｂの接続端面に波長選択透過性フィルタ３１を設けることにより、光ファイバ１ａへの入出力光のみ、波長選択透過性フィルタ３１を通過させることができ、波長選択透過性フィルタ３１のフィルタリング機能を生かして、波長合分波モジュール等の形成を図ることができる。
【００５０】
また、本実施形態例によれば、第１端面６と該第１端面６に露出した光ファイバ１ａの接続端面は共に研磨形成され、第２端面７と該第２端面７に露出した光ファイバ１ｂの接続端面は共に研磨形成されているので、第１端面６と第２端面７を研磨形成により容易に形成できるし、各端面６，７に露出する光ファイバ１ａ，１ｂの接続端面と対応する端面６，７とを容易に、かつ、的確に面一致させることができる。したがって、本実施形態例の光部品と接続される接続相手側との損失を小さくすることができる。
【００５１】
さらに、本実施形態例によれば、第１設定角度θは８２°とし、第２設定角度γは−８２°としている（言い換えれば、第１端面６と第２端面７は、いずれも、前記光ファイバ配列部材５の光通過方向の中心軸に直交する線Ｒとの成す角度を８°としている）ので、例えば光ファイバ１ａを第１端面６側に向けて進んで第１端面６において反射した反射光が、再び光通路に戻ることを抑制でき（つまり、高い反射減衰特性を得ることができ）、反射戻り光による悪影響が少ない、より一層低損失の光部品を形成できる。
【００５２】
図２には、本実施形態例の光部品を適用して形成した光波長合分波モジュールの一例を、その動作例と共に示す。この光波長合分波モジュールは、本実施形態例の光部品である多心（２心）フェルール３とレンズ２ａをハウジング２６に挿入固定して２心コリメータ２０を形成し、この２心コリメータ２０と単心コリメータ２１とを光結合して形成されている。
【００５３】
前記多心コリメータ２０のレンズ２ａは、フェルール３に対向する接続端面３３が、フェルール３の第１端面６と第２端面７との稜線と当接配置されており、レンズ２ａの単心フェルール２１に対向する接続端面３４側には、スペーサ２５を介して石英基板２２が設けられている。石英基板２２には、一方側（レンズ２ａ側）の面に、波長１．５３μｍを越える波長の光を通過させるハイパスフィルタ２３が成膜等により形成され、他方側の面に、波長１．５５μｍの光が反射することを防止する反射防止膜２４が形成されている。
【００５４】
単心コリメータ２１は、シングルモード光ファイバにより形成された光ファイバ１（１ｃ）を配列固定した単心フェルール４と、レンズ２ｂとを、ハウジング２７に挿入固定して形成されており、単心フェルール４の接続端面１４と、この接続端面１４に対向するレンズ２ｂの接続端面３５は、共に斜めに研磨形成されている。
【００５５】
この波長合分波モジュールにおいて、図２（ａ）に示すように、例えば、第１ポート１６から波長λ１（１．２６μｍ〜１．３６μｍ）の光を入射すると、この光は、光ファイバ１ａを伝搬してその接続端面から出射し、レンズ２ａを通り、ハイパスフィルタ２３で反射し、再びレンズ２ａを通って、多心フェルール３の第２端面７側に進んで光ファイバ１ｂに入射し、第２ポート１７から出射される。
【００５６】
また、図２（ｂ）に示すように、例えば、第２ポート１７から波長λ２（１．４８μｍ〜１．５０μｍ）の光を入射すると、この光は、光ファイバ１ｂを伝搬してその接続端面から出射し、レンズ２ａを通り、ハイパスフィルタ２３で反射し、再びレンズ２ａを通って、多心フェルール３の第１端面６側に進み、波長選択透過性フィルタ３１を通過して光ファイバ１ａに入射し、第１ポート１６から出射される。
【００５７】
さらに、図２（ｃ）に示すように、例えば、第２ポート１７から波長λ３（１．５５μｍ〜１．５６μｍ）の光を入射すると、この光は、光ファイバ１ｂを伝搬してその接続端面から出射し、レンズ２ａを通り、ハイパスフィルタ２３、反射防止膜２４を順に透過し、レンズ２ｂを通って単心フェルール４の光ファイバ１ｃに入射し、第３ポート１８から出射される。
【００５８】
各波長λ１、λ２、λ３の経路の挿入損失は、いずれも０．８ｄＢ以下であり、第２ポート１７から第３ポート１８への経路でのλ２のアイソレーションは５０ｄＢ以上得られた。
【００５９】
また、第２ポート１７から第１ポート１６への経路でのλ３のアイソレーションは４０ｄＢ以上得ることができた。この値は、本実施形態例の光部品（多心フェルール３）を用いずに、図５に示したような従来の多心フェルール３を用いた場合のアイソレーションが２５ｄＢ程度であったのに比べ、非常に良好な値であり、本実施形態例の適用により、格段にアイソレーションの向上を図ることができた。
【００６０】
次に、本発明に係る光部品の第２実施形態例について、図３に基づいて説明する。なお、第２実施形態例の説明において、第１実施形態例と同一名称部分には同一符号を付し、その重複説明は省略または簡略化する。
【００６１】
第２実施形態例は、第１実施形態例とほぼ同様に構成されており、第２実施形態例が上記第１実施形態例と異なる特徴的なことは、図３（ｃ）に示すように、光ファイバ配列部材５が、光ファイバ１ａ，１ｂを挿入する光ファイバ挿入溝としてのＶ溝９を複数（ここでは２本）並設して成るガラス基板１２であることと、光ファイバ１ａ，１ｂが、接続端面側に屈折率分布型光ファイバ１０を有していることである。
【００６２】
屈折率分布型光ファイバ１０はレンズ効果を持っており、シングルモードファイバの先端に一体的に形成されている。シングルモード光ファイバの基端側が接着剤１５によってガラス基板１２に固定されている。ガラス基板１２および光ファイバ１ａ，１ｂの接続端面側には、光ファイバ１ａ，１ｂの押さえ用のガラス板２８が設けられており、ガラス板２８は、ガラス基板１２に一体的に固定され、その端面も、ガラス基板１２と同様に形成されている。
【００６３】
第２実施形態例の光部品の製造は、図３（ａ）に示すように、ガラス基板１２の光ファイバ配列部材５に光ファイバ１（１ａ，１ｂ）を固定して光ファイバ１ａ，１ｂの接続端面側を光ファイバ配列部材５の接続端面１３側に配置し、ガラス板２８で覆った後、上記第１実施形態例と同様に、光ファイバ配列部材５の光通過方向の中心軸Ｃとの成す角度が第１設定角度θの第１端面６を研磨形成する。その後、図１（ｂ）、（ｄ）に示すように、第１端面６に露出した光ファイバ１ａ，１ｂの接続端面に、イオンアシスト法等の真空蒸着装置にて多層膜を蒸着し、成膜形成して波長選択透過性フィルタ３１とする。
【００６４】
その後、図３（ｃ）に示すように、光ファイバ１ｂの接続端面と共に光ファイバ配列部材５の第１端面６の一部を研磨して光ファイバ配列部材５の光通過方向の中心軸Ｃとの成す角度が第２設定角度γとなる第２端面７を形成することにより、該第２端面７と前記第１端面６とを隣り合わせに配置し、第２端面２に光ファイバ１ｂの接続端面を露出し、第１端面６に露出配置される光ファイバ１ａの接続端面にのみ多層膜の波長選択透過性フィルタ３１が形成された構成とする。
【００６５】
第２実施形態例も第１実施形態例と同様の効果を奏することができる。また、第２実施形態例においては、光ファイバ１ａ，１ｂの接続端面側に形成した屈折率分布型光ファイバ１０がレンズ効果を有しているので、例えば波長合分波モジュールを形成する場合等において、図２に示したようなレンズ２ａを設けなくてもモジュール形成を行うことができ、モジュール形成のための部品点数を少なくし、低コスト化とより一層の低損失化を図ることができる。
【００６６】
なお、本発明は上記実施例に限定されるものではなく、様々な形態を採り得る。例えば、上記第２実施形態例では、光ファイバ１ａ，１ｂの接続端面側に屈折率分布型光ファイバ１０を設けたが、屈折率分布型光ファイバ１０の代わりに、テックファイバとしてもよい。
【００６７】
また、上記各実施形態例では、光通路はいずれも光ファイバ１としたが、本発明の光部品において、光通路は光導波路とし、光通路配列部材は光導波回路部材としてもよい。この場合も、上記各実施形態例と同様の効果を奏することができる。
【００６８】
さらに、上記各実施形態例では、光ファイバ配列部材５の第１端面６に多層膜を蒸着により成膜形成したが、多層膜はスパッタリングにより形成してもよい。
【００６９】
さらに、上記各実施形態例では、光ファイバ配列部材５の第１端面６に多層膜を形成したが、多層膜の代わりに単層膜を形成してもよい。また、光ファイバ配列部材５の代わりに、光導波回路部材を有する光部品を形成した場合も、第１端面６に、多層膜を形成してもよいし、単層膜を形成してもよい。
【００７０】
さらに、上記各実施形態例では、２本の光ファイバ１を配列して光部品を形成したが、３本以上の光ファイバや光導波路等の光通路を並設して光部品を形成してもよい。この場合、例えば図４（ａ）に示すように、第１端面６に１本の光通路（ここでは光ファイバ１）を露出配置し、その他の光通路（ここでは光ファイバ１）を第２端面７に露出配置してもよいし、図４（ｂ）に示すように、複数の光通路（ここでは光ファイバ１）を第１端面６に露出配置し、１本以上の光通路（ここでは複数の光ファイバ１）を第２端面７に露出配置してもよい。
【００７１】
また、図４（ｃ）、（ｄ）に示すように、光ファイバ配列部材５の接続端面１３は、隣り合わせに配置された第１端面６と第２端面７に加え、他の面（第３端面や第４端面等の複数の面４０）を有する構成としてもよい。このように、光ファイバ配列部材５の接続端面１３が複数の面を有する場合にも、少なくとも第１端面６に多層膜または単層膜が形成されていればよく、第２端面を除く他の面にも膜が形成されていてもよい（図４（ｄ）の符号４１参照）。
【００７２】
さらに、上記各実施形態例では、多層膜により、設定波長帯の光を透過させる波長選択透過性フィルタ３１を形成したが、多層膜または単層膜は、設定波長帯の光を減衰させる光減衰膜としてもよいし、設定波長帯の光の反射を防止する反射防止膜としてもよいし、他の機能を有する膜としてもよい。
【００７３】
さらに、上記実施形態例では、第１設定角度を８２°に形成し、第２設定角度を−８２°に形成したが、これらの角度は特に限定されるものでなく、適宜設定されるものである。なお、第１端面６や第２端面７等、光ファイバ配列部材５等の光通路配列部材の接続端面を、該光通路配列部材の光通過方向の中心軸に直交する線との角度が８°以下になるように斜めに形成すると、端面において高い反射減衰特性を得ることができ、反射戻り光による悪影響が少ない、より一層低損失の光部品を形成できるので好ましい。
【図面の簡単な説明】
【００７４】
【図１】本発明に係る光部品の第１実施形態例の製造方法および構成を示す説明図である。
【図２】上記第１実施形態例の光部品を適用して形成される波長光合分波モジュールの例を示す説明図である。
【図３】本発明に係る光部品の第２実施形態例の製造方法および構成を示す説明図である。
【図４】本発明に係る光部品の他の実施形態例における接続端面側の構成を示す要部説明図である。
【図５】従来の多心フェルールの構成例を示す説明図である。
【符号の説明】
【００７５】
１，１ａ，１ｂ  光ファイバ
３  多心フェルール
４  単心フェルール
５  光ファイバ配列部材
６  第１端面
７  第２端面
８  光ファイバ挿通孔
９  Ｖ溝
１０  屈折率分布型光ファイバ
１３，１４  接続端面
３１  波長選択透過性フィルタ
【図１】
2006065082.tif 000003
【図２】
2006065082.tif 000004
【図３】
2006065082.tif 000005
【図４】
2006065082.tif 000006
【図５】
2006065082.tif 000007